(57)【特許請求の範囲】
【請求項１】
釣糸を案内するためのガイドリングと、該ガイドリングを保持するためのガイドフレームとを備えた釣糸ガイドであって、
ガイドフレームは、断面円形の中空状の金属線材からなり、
ガイドフレームは、ガイドリングの外周面全周のうち所定角度領域に当接する枠部と、竿体に取り付けるための取付部と、枠部の周方向の両端部と取付部とを連結する左右一対の支持脚部とを備え、
左右一対の支持脚部は、それぞれ左右方向の外側に膨むように湾曲した形状であり、支持脚部の根元領域は前後方向に湾曲した湾曲形状であり、該根元領域において金属線材は押し潰れることなくその断面形状を維持していることを特徴とする釣糸ガイド。
【請求項２】
枠部の中心角は、枠部を周方向に延長した仮想円に向けて両支持脚部の根元側の端部からそれぞれ接線を引いたとき、それぞれの接線と仮想円との接点間の中心角であって取付部から離れた先側の中心角よりも小さい請求項１記載の釣糸ガイド。
【請求項３】
支持脚部は、枠部に近い先領域と、取付部に近い根元領域と、先領域と根元領域との間の部分である中間領域とから構成されており、
支持脚部の先領域は、前後方向に湾曲することなく枠部と同一平面上にあり、支持脚部の中間領域と根元領域は前後方向に湾曲し、且つ、支持脚部の中間領域における前後方向の湾曲の程度は、支持脚部の根元領域における前後方向の湾曲の程度に比して緩やかであり、
左右一対の支持脚部を左右に連結するブリッジパーツを備え、該ブリッジパーツは、支持脚部同士をその先領域の範囲内で連結している請求項１又は２記載の釣糸ガイド。
【請求項４】
釣糸を案内するためのガイドリングと、該ガイドリングを保持するためのガイドフレームと、竿体の外周面に固定又は遊動自在に装着される筒状体とを備えた釣糸ガイドであって、
ガイドフレームは、断面円形の中空状の金属線材からなり、
ガイドフレームは、ガイドリングの外周面全周のうち所定角度領域に当接する枠部と、筒状体に取り付けるための取付部と、枠部の周方向の両端部と取付部とを連結する左右一対の支持脚部とを備え、
左右一対の支持脚部は、それぞれ左右方向の外側に膨むように湾曲した形状であり、支持脚部の根元領域は前後方向に湾曲した湾曲形状であり、該根元領域において金属線材は押し潰れることなくその断面形状を維持していることを特徴とする釣糸ガイド。
【請求項５】
請求項１乃至４の何れかに記載の釣糸ガイドを備えていることを特徴とする釣竿。
【請求項６】
ガイドリングを保持するためのガイドフレームであって、
断面円形の中空状の金属線材からなり、
ガイドリングの外周面全周のうち所定角度領域に当接する枠部と、竿体に取り付けるための取付部と、枠部の周方向の両端部と取付部とを連結する左右一対の支持脚部とを備え、
左右一対の支持脚部は、それぞれ左右方向の外側に膨むように湾曲した形状であり、支持脚部の根元領域は前後方向に湾曲した湾曲形状であり、該根元領域において金属線材は押し潰れることなくその断面形状を維持していることを特徴とする釣糸ガイドのガイドフレーム。
【発明の詳細な説明】
【技術分野】
【０００１】
本発明は、釣糸を案内するための釣糸ガイドと、それを備えた釣竿と、釣糸ガイドのガイドフレームに関する。
【背景技術】
【０００２】
釣糸を案内するための釣糸ガイドは、例えば下記特許文献１所載のように、金属板を打ち抜くことによって形成されたガイドフレームと、該ガイドフレームの孔に取り付けられて釣糸を案内するガイドリングとを備えたものが一般的である。しかしながら、ガイドフレームが金属板を打ち抜いて形成されたものであるため、強度を確保しつつ軽量化を図ることには限界がある。
【０００３】
そこで、本発明者らは、ガイドフレームを細い金属線材から構成することを検討した。即ち、金属線材をガイドリングの外周面に沿ってＵ字状に曲げ加工して、ガイドリングの外周面全周のうち所定角度領域に当接する枠部と、竿体に取り付けるための取付部と、枠部の周方向の両端部と取付部の前端部をそれぞれ直線で結ぶ左右一対の支持脚部とを金属線材で一体的に形成した。しかしながら、釣糸ガイドにおける糸絡みの発生をより一層抑制できる改善策が求められた。
【先行技術文献】
【特許文献】
【０００４】
【特許文献１】特開２００１−２３８５７７号公報
【発明の概要】
【発明が解決しようとする課題】
【０００５】
それゆえに本発明は、釣糸ガイドの軽量化を図ると共に糸絡みの発生を抑制することを課題とする。
【課題を解決するための手段】
【０００６】
本発明は上記課題を解決すべくなされたものであって、本発明に係る釣糸ガイドは、釣糸を案内するためのガイドリングと、該ガイドリングを保持するためのガイドフレームとを備えた釣糸ガイドであって、ガイドフレームは、断面円形の中空状の金属線材からなり、ガイドフレームは、ガイドリングの外周面全周のうち所定角度領域に当接する枠部と、竿体に取り付けるための取付部と、枠部の周方向の両端部と取付部とを連結する左右一対の支持脚部とを備え、左右一対の支持脚部は、それぞれ左右方向の外側に膨むように湾曲した形状であり、支持脚部の根元領域は前後方向に湾曲した湾曲形状であり、該根元領域において金属線材は押し潰れることなくその断面形状を維持していることを特徴とする。
【０００７】
該構成の釣糸ガイドは、ガイドフレームが金属線材から構成されているので、金属板を所定形状に打ち抜いて形成したガイドフレームに比して容易に軽量化できる。また、従来の金属板を打ち抜いて形成したガイドフレームでは、エッジの立った断面形状となっているので、ガイドフレームに釣糸が接触したときの抵抗が大きく、そのために糸絡みが発生しやすく、また、キャストフィールも良くない。これに対して、ガイドフレームが断面円形の金属線材から構成されていると、エッジのない断面形状であるので、ガイドフレームに釣糸が接触したときの釣糸の滑り性が良くスムーズであって、糸絡みが発生しにくく、またキャストフィールも優れている。しかも、ガイドフレームの左右一対の支持脚部が枠部の周方向の両端部から取付部にかけて直線状に延びているのではなく、左右方向の外側に向けて膨らむように湾曲しているので、エッジのない断面形状であることと相まって、ガイドフレームに釣糸が絡みにくい。
【０００８】
特に、枠部の中心角は、枠部を周方向に延長した仮想円に向けて両支持脚部の根元側の端部からそれぞれ接線を引いたとき、それぞれの接線と仮想円との接点間の中心角であって取付部から離れた先側の中心角よりも小さいことが好ましい。尚、支持脚部の根元側の端部とは取付部側の端部であり、支持脚部と取付部との境界部分である。ガイドリングは、中心線方向に見た正面視において円形であり、仮想円は、ガイドリングに当接する当接面である枠部の内周面を周方向に３６０度まで延長し、その３６０度の内周面をガイドリングの中心線の方向に見たときの円である。その仮想円に対する接線は、ガイドリングの中心線の方向に釣糸ガイドを見た状態において、支持脚部の根元側の端部の左右方向の内側の面から仮想円に向けて引いた接線である。そして、両接点間の中心角であって先側の中心角よりも枠部の中心角が小さい場合には、支持脚部を左右方向の外側に向けて枠部の周方向の端部からスムーズに膨らんだ形状とすることができ、枠部と支持脚部とがスムーズに連続した状態となる。即ち、枠部と支持脚部との境界部分に左右方向の内側に向けて括れた括れ部が生じることがなく、枠部から支持脚部にかけて滑らかに連続した形状となって、より一層糸絡みが防止される。
【０００９】
また、中空状の金属線材からガイドフレームを構成する場合、支持脚部の根元領域における曲率半径が小さいとその根元領域で中空状の金属線材が押し潰れた形状となる。従って、中空状の金属線材が押し潰れない程度に大きな曲率半径で支持脚部の根元領域が湾曲していると、支持脚部の根元領域においてもエッジのない断面形状となって糸絡みがより一層防止される。
【００１０】
また更に、支持脚部は、枠部に近い先領域と、取付部に近い根元領域と、先領域と根元領域との間の部分である中間領域とから構成されており、支持脚部の先領域は、前後方向に湾曲することなく枠部と同一平面上にあり、且つ、支持脚部の中間領域と根元領域は前後方向に湾曲しており、左右一対の支持脚部を左右に連結するブリッジパーツを備え、該ブリッジパーツは、支持脚部同士をその先領域の範囲内で連結していることが好ましい。支持脚部の先領域が前後方向に湾曲せずに枠部と同一平面上にあると、枠部と支持脚部とが滑らかに連続することになって糸絡みが防止される。また、ブリッジパーツを備えることで左右一対の支持脚部が連結されてガイドフレームが補強されることになり、ガイドフレームの強度が向上する。そして、そのブリッジパーツが支持脚部にその先領域の範囲内で当接して連結しているので、ブリッジパーツも枠部と同一平面上に位置させることができてその薄肉化も可能となる。従って、ブリッジパーツによって強度アップを図りつつも過度の重量増加を抑制できる。
【００１１】
また、本発明に係る釣糸ガイドは、釣糸を案内するためのガイドリングと、該ガイドリングを保持するためのガイドフレームと、竿体の外周面に固定又は遊動自在に装着される筒状体とを備えた釣糸ガイドであって、ガイドフレームは、断面円形の中空状の金属線材からなり、ガイドフレームは、ガイドリングの外周面全周のうち所定角度領域に当接する枠部と、筒状体に取り付けるための取付部と、枠部の周方向の両端部と取付部とを連結する左右一対の支持脚部とを備え、左右一対の支持脚部は、それぞれ左右方向の外側に膨むように湾曲した形状であり、支持脚部の根元領域は前後方向に湾曲した湾曲形状であり、該根元領域において金属線材は押し潰れることなくその断面形状を維持していることを特徴とする。
【００１２】
また、本発明に係る釣竿は、このような釣糸ガイドが装着されたものである。
【００１３】
更に、本発明に係る釣糸ガイドのガイドフレームは、ガイドリングを保持するためのガイドフレームであって、断面円形の中空状の金属線材からなり、ガイドリングの外周面全周のうち所定角度領域に当接する枠部と、竿体に取り付けるための取付部と、枠部の周方向の両端部と取付部とを連結する左右一対の支持脚部とを備え、左右一対の支持脚部は、それぞれ左右方向の外側に膨むように湾曲した形状であり、支持脚部の根元領域は前後方向に湾曲した湾曲形状であり、該根元領域において金属線材は押し潰れることなくその断面形状を維持していることを特徴とする。
【発明の効果】
【００１４】
以上のように、断面円形の中空状の金属線材からガイドフレームが形成され、その枠部の周方向の端部から連続する支持脚部が、外側に向けて膨むように湾曲した形状となっているので、従来の金属板から打ち抜いて形成されたガイドフレームに比して軽量化できると共に糸絡みを抑制できる。
【図面の簡単な説明】
【００１５】
【図１】本発明の一実施形態における釣糸ガイドの後側から見た斜視図。
【図２】本発明の一実施形態における釣糸ガイドを後側から見た背面図。
【図３】同釣糸ガイドを竿体に取り付けた状態を示す一部破断線を含む断面図。
【図４】同釣糸ガイドのガイドフレームを後側から見た背面図。
【図５】同ガイドフレームを左右方向から見た側面図。
【図６】同ガイドフレームの要部を示す平面図。
【図７】図２の要部拡大図。
【図８】同釣糸ガイドのガイドリングの製造工程を示す図であって、（ａ）は正面図、（ｂ）は断面図。
【図９】（ａ）及び（ｂ）は同釣糸ガイドのガイドリングの製造工程を示す断面図。
【図１０】同釣糸ガイドの製造工程を示す図であって、（ａ）及び（ｂ）は後側から見た背面図、（ｃ）は（ｂ）の要部断面図。
【図１１】（ａ）及び（ｂ）は同釣糸ガイドの製造工程を示す断面図。
【図１２】本発明の他の実施形態における釣糸ガイドを竿体に取り付けた状態を示す前側から見た正面図。
【図１３】図１２のＡ−Ａ断面図。
【図１４】本発明の他の実施形態における釣糸ガイドを示す前側から見た正面図。
【発明を実施するための形態】
【００１６】
以下、本発明の一実施形態に係る釣糸ガイドについて図１〜図１１を参酌しつつ説明する。本実施形態における釣糸ガイド１は、図１〜図３のように、釣糸を直接案内するためのガイドリング２と、該ガイドリング２を保持すると共にガイドリング２と竿体５とを繋ぐためのガイドフレーム３と、該ガイドフレーム３を補強するためのブリッジパーツ４とを備えている。
【００１７】
図中、竿体５の軸線方向を前後方向と称すると共に、竿先側（前側）を符号Ｘ１で示し、竿尻側（後側）を符号Ｘ２で示す。また、竿体５の軸線方向と直交する方向であってガイドリング２の中心線５０を通る平面上の方向を上下方向とし、竿体５から離れる方向を上側として符号Ｚ１で示し、竿体５に近づく方向を下側として符号Ｚ２で示す。尚、上側を先端側と、下側を基端側と称する場合がある。また、上側から見た平面視において竿体５の軸線方向と直交する方向を左右方向とし、それを符号Ｙで示す。尚、竿体５の軸線方向（前後方向）は竿体５の中心線５１の方向であって、後述するガイドフレーム３の取付部３２の長手方向であり、左右方向は取付部３２の短手方向（幅方向）である。
【００１８】
＜ガイドリング２＞
ガイドリング２は、図１に示すように例えば円形の環状であるが、楕円形や長円形等であってもよい。本実施形態においてはガイドリング２が円形の場合について説明する。ガイドリング２は耐摩耗性に優れた、種々の硬質材料からなり、例えばＳｉＣ（シリコンカーバイト）に代表されるセラミックであっても無論よいが、本実施形態ではチタンからなる。チタンとしてはチタン合金が好ましい。チタン合金は、α相とβ相が混在しているものであって、主としてα相であって一部にβ相が残留したニアα型（少量のβ安定化元素を添加したα合金）、α＋β型、β型が好適である。特にβ型のチタン合金であることが好ましく、冷間加工性が良く、部材の強度も容易に確保できる。ニアα型としては、例えば、Ｔｉ−８Ａｌ−１Ｍｏ−１ＶやＴｉ−６Ａｌ−２Ｎｂ−１Ｔａ−０．８Ｍｏ等である。α＋β型は、ニアα型よりも多量のβ相が残留しており、例えば、Ｔｉ−３Ａｌ−２．５ＶやＴｉ−６Ａｌ−４Ｖ等である。β型は、準安定β型とも称されるものであって、α＋β型に比してβ安定化元素が多く、α安定化元素が少ない。β型では、残留β相中に微細な粒でα相が分散して生成しており、従って、β型においてもその表面にはα相とβ相とがまだら模様となって存在している。β型としては、例えば、Ｔｉ−１５Ｖ−３Ｃｒ−３Ｓｎ−３Ａｌや、Ｔｉ−３Ａｌ−８Ｖ−６Ｃｒ−４Ｚｒ−４Ｍｏや、Ｔｉ−１０Ｖ−２Ｆｅ−３Ａｌ等があるが、特に、冷間加工性に優れていることからＴｉ−１５Ｖ−３Ｃｒ−３Ｓｎ−３Ａｌが好ましい。
【００１９】
ガイドリング２は、釣糸が挿通する糸挿通孔を有しており、ガイドリング２の内周面２ａを釣糸が摺動することで釣糸を直接案内する。図９（ｂ）及び図１１に示しているように、ガイドリング２の内周面２ａは、断面視において、内側凸（中心側凸）となるように前後方向に湾曲した曲面である、また、ガイドリング２の外周面２ｂも断面視において内側凸（中心側凸）となるように前後方向に湾曲した曲面である。即ち、ガイドリング２は、中心線５０の方向に切断した断面視において、中心側凸となるように弧状に湾曲した凸状の内周面２ａと、中心側凸となるように弧状に湾曲した凹状の外周面２ｂとを有している。ガイドリング２の内周面２ａと外周面２ｂは互いに対応した形状となっている。また、ガイドリング２は曲げ加工された薄肉の金属板からなり、その金属板の表面と裏面がそれぞれ内周面２ａと外周面２ｂになっている。
【００２０】
より詳細には、ガイドリング２は、その中心線５０の方向の両端部、即ち、前後両端部に、それぞれ径方向外側に突出した環状の鍔部２２，２３を備えている。前後両端部にそれぞれ鍔部２２，２３が形成されていることによってガイドリング２の外周面２ｂには、両鍔部２２，２３間に凹状の周溝２０が全周に亘って形成されることになる。そして、鍔部２２，２３から周溝２０にかけて滑らかに連続した外周面２ｂの断面形状となっていて、ガイドリング２の外周面２ｂは断面視において全体として中心側凸の弧状に湾曲している。即ち、周溝２０の断面形状は曲面状である。前後両鍔部２２，２３の直径Ｇ３，Ｇ４は何れも後述するガイドフレーム３の枠部３０の内径Ｄ（枠部３０の内周面のうち最も小径の部分である頂点における直径）よりも大きい。前後両鍔部２２，２３の直径Ｇ３，Ｇ４は互いに同一であってもよいが、一方の直径Ｇ４が他方の直径Ｇ３よりも小さいことが好ましく、本実施形態では、前側の鍔部２３の直径Ｇ４が後側の鍔部２２の直径Ｇ３よりも小さい。前側の鍔部２３の直径Ｇ４はガイドリング２の前端部の外径であり、後側の鍔部２２の直径Ｇ３はガイドリング２の後端部の外径である。
【００２１】
後述するように、ガイドリング２の外周面２ｂの周溝２０にはガイドフレーム３の枠部３０とブリッジパーツ４が係合する。ガイドフレーム３は断面円形の金属線材からなり、その円形断面の全周のうち９０度以上１８０度未満の角度範囲がガイドリング２の外周面２ｂの周溝２０に係合することが好ましい。また、図９（ｂ）のように、ガイドリング２の径方向（内外方向）の厚さＧ１は、即ちガイドリング２の外径（大きい方である後側の鍔部２２の直径Ｇ３）と内径の差であるが、その厚さは、全周に亘って一定である。ガイドリング２の径方向の厚さＧ１は、ガイドリング２の中心線５０の方向に沿った寸法Ｇ２（長さ）よりも小さい。
【００２２】
ガイドリング２は、金属板を所定形状にプレス加工することにより形成されている。図８のように例えばチタン合金からなる金属板をドーナツ状に打ち抜き、この打ち抜いたドーナツ状の金属板２１を図９（ａ）のように表面と裏面のうち一方の面側から矢印で示すようにプレス加工して筒状に変形させると共に、筒状となった金属板２１の一端部を径方向外側に鍔状に湾曲させて鍔部２２を形成する。次に、図９（ｂ）のように反対側である他方の面側から矢印で示すように筒状の金属板２１を更にプレス加工してその他端部も一端部と同様に径方向外側に鍔状に湾曲させて鍔部２３を形成し、筒状の金属板２１の断面形状を全体として中心側凸に湾曲した断面視弧状の断面形状としてガイドリング２を形成する。
【００２３】
尚、金属板２１の他端部の湾曲の大きさは一端部のそれに比して小さく、即ち、ガイドリング２の他端部の湾曲の大きさは一端部のそれよりも小さい。従って、ガイドリング２の外径は他端部よりも一端部の方が大きい。このようにして形成されたガイドリング２は、その両端部にそれぞれ径方向外側に突出した環状の鍔部２２，２３を有する形状であって、その両鍔部２２，２３の間にガイドフレーム３が係合する。詳細には、図２及び図３のように径方向外側への湾曲の度合いが相対的に大きい一端部が後側（後端部）となり、径方向外側への湾曲の度合いが相対的に小さい他端部が前側（前端部）となるようにガイドフレーム３に装着される。ガイドリング２はその両端部に鍔部２２，２３が形成されていてその間が周溝２０となっており、その周溝２０にガイドフレーム３が係合しているので、ガイドフレーム３に対する前後の移動が周溝２０あるいは前後両鍔部２２，２３によって規制され且つ前側や後側へ抜け落ちも防止される。特に、両鍔部２２，２３を含めてガイドリング２の外周面２ｂが中心側凸の断面視弧状に形成されているので、断面円形の金属線材からなるガイドフレーム３の枠部３０との係合状態が安定し、ガイドリング２の前後移動を確実に規制できる。
【００２４】
尚、ガイドリング２の外周面２ｂとガイドフレーム３の枠部３０とは径方向に切断した断面視において面接触してもよいが、点接触してもよい。ガイドフレーム３は円形断面を有する金属線材であるが、ガイドリング２の外周面２ｂとガイドフレーム３とが点接触する場合、一点ではなく前後（金属線材の円形断面の周方向）に間隔をあけて複数点で接触する構成とすることが好ましく、二点あるいは三点で接触することがより好ましい。
【００２５】
＜ガイドフレーム３＞
ガイドフレーム３は、竿体５の外周面に取り付けるための取付部３２と、該取付部３２から上側に向かって即ち竿体５から径方向外側に離れるように立ち上がって、竿体５から所定距離離れた位置でガイドリング２を保持するフレーム本体部とを備えている。フレーム本体部は、ガイドリング２を保持する枠部３０と、枠部３０と取付部３２とを連結する支持脚部３１とを備えている。即ち、フレーム本体部は、先端側（上側）の枠部３０と基端側（下側）の支持脚部３１とからなる。
【００２６】
ガイドフレーム３は、金属線材から構成されている。具体的には、ガイドフレーム３は一本の金属線材をガイドリング２の外周面２ｂに沿ってＵ字状に曲げ加工することにより形成されている。金属線材は、例えばチタン合金やステンレス、アルミニウム合金からなる。その中でも特に軽量化の観点からはチタン合金が好ましい。チタン合金の詳細についてはガイドリング２と同様であり、冷間加工性が良く、部材の強度も容易に確保できることから、β型のチタン合金が好ましい。金属線材は、円形の断面形状を有している。金属線材は、中実状のものや中空状のものであって、特に、軽量化と強度の両立の観点と、ガイドリング２との接触面積を確保しやすいことから、中空状のもの、即ち線状パイプ材が好ましい。金属線材の線径（外径）は例えば０．３〜６ｍｍ、好ましくは１〜３ｍｍである。本実施形態のガイドフレーム３は中空状の金属線材からなる。
【００２７】
上述したようにガイドフレーム３は一本の線材を曲げ加工することによって形成されているが、その形状は図２及び図４のような背面視、あるいは、前側から見た正面視において、Ｕ字状に二つ折り状態に曲げられた形状であって、その金属線材の両端部が一方向に揃えられた状態にある。このように一本の金属線材を全体としてＵ字状に曲げてガイドフレーム３を構成しているため、支持脚部３１と取付部３２は何れも金属線材が左右に二本並んだ二本足の構成となっている。尚、左右の足は左右対称形状とされている。
【００２８】
また、フレーム本体部は、図３及び図５のように、取付部３２の前端部から湾曲しつつ上側に向かった後、直線的に上側に延びている。フレーム本体部において湾曲しつつ上側に向かっている部分が、後述する支持脚部３１の根元領域３１ｃ及び中間領域３１ｂである。尚、本実施形態においては、取付部３２に対してフレーム本体部が最終的に直角に立ち上がっていて、従って、ガイドリング２の中心線５０が竿体５の中心線５１と平行になっているが、ガイドリング２の中心線５０が竿体５の中心線５１と平行ではなく傾斜するようにフレーム本体部が立ち上がっていてもよい。即ち、フレーム本体部が前傾姿勢で立ち上がった構成であってもよい。
【００２９】
＜枠部３０＞
枠部３０は、その内側にガイドリング２を保持するための部分であってフレーム本体部の先端側の領域を構成しており、所定の中心角θを有する円弧状に形成されている。枠部３０は、金属線材をガイドリング２の外周面に沿って曲げ加工することによって下側に開口したＣ字状に形成されている。枠部３０はガイドリング２に対応したサイズ、形状となっている。枠部３０の形状はガイドリング２の形状によって異なり、本実施形態では円形のガイドリング２を使用しているため枠部３０もそれに対応して円弧状であるが、楕円形のガイドリング２を使用する場合には枠部３０もそれに対応して楕円弧状となる。枠部３０は、ガイドリング２の全周のうち上側所定範囲のみを周回してガイドリング２の外周面２ｂを支持する。
【００３０】
枠部３０はガイドリング２の所定角度範囲を周回するが、図４のように、枠部３０の中心角θは１８０度近傍の角度であることが好ましく、１５０度〜２４０度であることが好ましく、特には、１６０度〜２００度であることがより好ましい。本実施形態において枠部３０の中心角θはガイドリング２の半周を僅かに越える角度である。図４に、枠部３０の内周面を延長した仮想円５２を二点鎖線で示している。この仮想円５２は、枠部３０の内周面を周方向に３６０度まで延長し、その３６０度の内周面をガイドリング２の中心線５０の方向に見たときの円である。この仮想円５２の直径Ｄが枠部３０の内径Ｄ（枠部３０の内周面のうち最も小径の部分である頂点における直径）である。また、図４に、支持脚部３１の下端部（根元側の端部）を起点とし仮想円５２と接する接線５３を二点鎖線で示している。この接線５３は、ガイドリング２の中心線５０の方向に釣糸ガイド１を見た状態において、支持脚部３１の下端部の左右方向の内側の面から仮想円５２に向けて引いた接線である。枠部３０の中心角θは、二本の接線５３が仮想円５２と接する接点５４間の中心角であって取付部３２から離れた側である先側の中心角αよりも小さいことが好ましい。
【００３１】
＜支持脚部３１＞
支持脚部３１は、枠部３０と取付部３２との間に位置して枠部３０と取付部３２とを連結している。支持脚部３１は、図４のように左右に二本並んだ二本足の構成である。まず、支持脚部３１を前側から見た正面視あるいは後側から見た背面視における形状について説明する。左右一対の支持脚部３１は、互いに左右対称形状とされている。左右一対の支持脚部３１は、枠部３０の周方向の両端部から下方に向けてそれぞれ延びていて、全体として正面視あるいは背面視においてＶ字状になっている。より詳細には、左右一対の支持脚部３１は、それぞれ左右方向の外側に膨むように湾曲した形状である。左右一対の支持脚部３１は、枠部３０の両端部から左右方向外側に膨らむようにして下方に延びて、その後、互いに接近するように、即ち、互いの間隔を狭くするように左右方向の内側に向けて延びていて、下端部においては、互いに当接した状態にある。但し、左右一対の支持脚部３１の下端部同士が若干の隙間を介して互いに接近した状態となっていてもよい。枠部３０の中心角θを、接線５３が仮想円５２と接する接点５４間の中心角であって取付部３２から離れた側である先側の中心角αと等しくすると共に、接線５３に沿って支持脚部３１を直線状に形成することもできるが、枠部３０の中心角θを、接線５３が仮想円５２と接する接点５４間の中心角であって取付部３２から離れた側である先側の中心角αよりも小さくすると共に、支持脚部３１の正面視あるいは背面視の形状を、接線５３に対して外側に膨らんだ湾曲形状とすると、糸絡み防止に効果がある。
【００３２】
左右一対の支持脚部３１がそれぞれ左右方向の外側に膨らんだ湾曲形状となっているが、本実施形態では枠部３０の中心角θが１８０度以上となっていることから、両支持脚部３１間の最大離間距離は枠部３０の内径Ｄと等しい。即ち、図４の仮想円５２の直径Ｄと両支持脚部３１間の最大離間距離が等しい。また、本実施形態では、左右一対の支持脚部３１は下端部において当接しているので、左右一対の支持脚部３１の下端部同士の間の離間間隔は０である。尚、枠部３０の中心角θが１８０度未満であって、左右の支持脚部３１がそれぞれ左右方向の外側に膨らんだ湾曲形状となっていて、両支持脚部３１間の最大離間距離が枠部３０の内径Ｄよりも大きくなっていてもよい。
【００３３】
次に、支持脚部３１を図３及び図５のように左右方向から見た側面視における形状について説明する。 支持脚部３１は、三つの領域に区画することができる。即ち、支持脚部３１は、枠部３０に近い先領域３１ａと、取付部３２に近い根元領域３１ｃと、先領域３１ａと根元領域３１ｃとの間の部分である中間領域３１ｂとから構成されている。支持脚部３１の先領域３１ａは、枠部３０の周方向の端部から前後方向に湾曲することなく下側に向けて延びていて、枠部３０と同一平面上にある。即ち、支持脚部３１の先領域３１ａは、枠部３０の中心線（ガイドリング２の中心線５０）に対して直交する平面上に位置している。支持脚部３１の中間領域３１ｂと根元領域３１ｃは、何れも前後方向に湾曲した湾曲形状である。従って、支持脚部３１の中間領域３１ｂと根元領域３１ｃは、枠部３０や支持脚部３１の先領域３１ａと同一平面上には位置していない。支持脚部３１の中間領域３１ｂは、支持脚部３１の先領域３１ａの下端部から後側に湾曲しつつ下側に向けて延びている。支持脚部３１の中間領域３１ｂにおける前後方向の湾曲の程度は、支持脚部３１の根元領域３１ｃにおける前後方向の湾曲の程度に比して緩やかである。支持脚部３１の根元領域３１ｃは、支持脚部３１の中間領域３１ｂの下端部から取付部３２の前端部まで後側に湾曲しつつ下側に向けて延びている。支持脚部３１の根元領域３１ｃにおける前後方向の湾曲の程度は、支持脚部３１の中間領域３１ｂにおけるそれに比してきつく、曲率半径は相対的に小さいが、該根元領域３１ｃにおいて金属線材は押し潰れることなくその断面形状を維持している。即ち、支持脚部３１の根元領域３１ｃにおける前後方向の湾曲の程度は、金属線材が前後方向の湾曲によって径方向に潰れない程度のものであって、前後方向の湾曲の曲率半径は金属線材が径方向に潰れない程度に小さい曲率半径である。このように支持脚部３１における金属線材は、根元領域３１ｃを含む全領域に亘って断面円形を維持している。
【００３４】
＜取付部３２＞
取付部３２は、支持脚部３１の下端部から後側（竿尻側）に向けて平面視一直線状に延びている。取付部３２は、一本の金属線材の両端部所定長さ領域から構成された二本足構成である。即ち、取付部３２は、一本の金属線材の両端部所定長さ領域からなる左右一対の線状体が間隔を空けずに左右平行に揃えられて構成されており、各線状体は支持脚部３１の下端部から後側に延びている。左右一対の線状体は互いに接合されて一体化されている。接合方法は任意であるが、好ましくは溶接による。
【００３５】
取付部３２は、全長に亘って厚さが一定ではなく、厚さが異なる三つの領域から構成されている。即ち、取付部３２は、前側に位置する断面円形のストレート部３２ａと、後側に位置する板状の扁平部３２ｃと、ストレート部３２ａと扁平部３２ｃとの間に位置し、後側に向けて徐々に厚さ（上下方向の寸法）が薄くなっていくテーパ部３２ｂとから構成されている。ストレート部３２ａは、取付部３２の前部を構成していて、支持脚部３１の根元領域３１ｃから後側に延びている。該ストレート部３２ａは、中空状の金属線材がその円形の断面形状を維持している部分である。ストレート部３２ａは、前後方向には湾曲しておらず、前後方向に沿って直線状に延びている。テーパ部３２ｂは、取付部３２の中間部を構成していて、その上面が後側に向けて徐々に下降傾斜しており、この上面の下降傾斜によってその厚さが後側に向けて減少している。テーパ部３２ｂにおいては、中空状の金属線材が上下方向に圧縮され且つその圧縮量が後側に向けて徐々に大きくなっている部分であり、その後端部において扁平部３２ｃとつながっている。扁平部３２ｃは、取付部３２の後部を構成しており、中空状の金属線材が上下方向に押し潰されて板状とされた部分である。
【００３６】
尚、取付部３２の幅（左右方向の寸法）は、一定であってもよいが、図６のようにその後部の幅を後側に向けて徐々に幅狭とすることが好ましい。詳細には、ストレート部３２ａとテーパ部３２ｂは幅一定であり、扁平部３２ｃは後側に向けて徐々に幅狭に形成されている。扁平部３２ｃの左右両側部は扁平部３２ｃの幅が後側に向けて徐々に狭くなっていくようにそれぞれ所定部分が切除されている。図６に切除される前の形状を二点鎖線で示している。
【００３７】
扁平部３２ｃの下面には、図７のように上側が凸となるように左右方向に沿って湾曲した凹面部３８が形成されている。上述のように取付部３２は、左右一対の線状体が左右平行に揃えられて構成されているが、凹面部３８は左右の線状体に跨るように左右方向に連続する滑らかな曲面となっている。尚、扁平部３２ｃの上面は、下面に凹面部３８が形成されていることに対応して上側凸となるように左右方向に湾曲した形状とされており、従って、扁平部３２ｃの上面は左右方向に湾曲した凸状の曲面であり、扁平部３２ｃの下面は左右方向に湾曲した凹状の曲面である。この扁平部３２ｃの湾曲形状は、中空状の金属線材を上下方向に押し潰して板状としたうえで、更にその板状の扁平部３２ｃを湾曲変形させることにより形成されている。凹面部３８は、竿体５の外周面の周方向の曲面に沿った形状とされることが好ましい。該凹面部３８の曲率半径Ｒ（図４及び図７参照）は、例えば竿体５の外周面の曲率半径（竿体５の外径の１／２）とされる。
【００３８】
尚、取付部３２は、図２のように巻糸６によって竿体５の外周面に巻き付けられるが、取付部３２の竿体５からの抜け防止のために、取付部３２の左右両側部に切欠部（図示省略）を設けてもよい。このように取付部３２の左右両側部に切欠部を設けると、該切欠部において巻糸６がより一層強固に巻き付けられる。
【００３９】
かかるガイドフレーム３は、まず、一本の金属線材をＵ字状に曲げ加工すると共に前後方向に湾曲させ、金属線材の両端部所定長さ領域を左右に揃えて並べる。次に、左右に並べた金属線材の両端部所定長さ領域同士を溶接して互いに接合一体化して取付部３２を形成する。次に、取付部３２の後部における金属線材を上下方向に押し潰して扁平部３２ｃを形成すると同時に、その扁平部３２ｃの左右両側部を斜めに切除する。尚、扁平部３２ｃを形成した後に、それとは別工程で扁平部３２ｃの左右両側部を切除するようにしてもよい。そして、形成した扁平部３２ｃを更に上下に押圧して扁平部３２ｃを左右方向に沿って湾曲変形させて、扁平部３２ｃの下面に凹面部３８を形成する。このように金属線材の両端部所定領域を接合した後に扁平部３２ｃを形成することにより、左右の金属線材の下面に一体となった扁平部３２ｃを形成することができる。また、その後に扁平部３２ｃを湾曲変形させることにより、左右の金属線材に跨るように左右方向に連続した凹面部３８を形成することができる。
【００４０】
＜ブリッジパーツ４＞
上述のように、枠部３０は下方に開口したＣ字状であって、支持脚部３１は左右一対の二本足の構成であって左右に離間している。また、枠部３０はガイドリング２の外周面２ｂの上側所定角度領域のみに当接して支持していて、ガイドリング２の外周面２ｂのうち下側所定角度領域はガイドフレーム３には当接せず支持されていない。そこで、ガイドフレーム３を補強すると共にガイドフレーム３によるガイドリング２の保持を補完すべく、ガイドリング２の下側の位置にブリッジパーツ４が設けられている。
【００４１】
ブリッジパーツ４は、ガイドフレーム３の内側であって、ガイドリング２に対して取付部３２側（竿体５への装着状態においては竿体５に近い側）に位置する。ブリッジパーツ４は、ガイドリング２の外周面２ｂの下側所定角度領域に当接してガイドリング２の外周面２ｂの下側所定角度領域を保持していると共に、左右一対の支持脚部３１同士を左右に連結している。詳細には、ブリッジパーツ４は、支持脚部３１同士を支持脚部３１の全領域のうち先領域３１ａの範囲内で連結している。即ち、ブリッジパーツ４は、支持脚部３１の中間領域３１ｂではなく先領域３１ａを連結することが好ましい。ブリッジパーツ４が左右一対の支持脚部３１同士を左右に連結して突っ張り部として機能することでガイドフレーム３が補強され、ガイドフレーム３の枠部３０の開口部近傍がブリッジパーツ４によって連結されることにもなる。また、ブリッジパーツ４は、ガイドフレーム３がガイドリング２を支持しない角度領域の大部分を支持して、ガイドリング２の保持力をアップさせる。従って、ガイドリング２は、ガイドフレーム３の枠部３０とブリッジパーツ４によって上下に狭持されるように保持される。
【００４２】
また、ブリッジパーツ４は、ガイドフレーム３がガイドリング２の外周面２ｂから離れていく左右二箇所においてガイドフレーム３とガイドリング２との間の空間を補填しており、このブリッジパーツ４による空間補填によって糸絡みが防止される。即ち、ガイドフレーム３の左右の支持脚部３１がそれぞれガイドリング２の外周面２ｂから離れていく左右二箇所においては、支持脚部３１とガイドリング２の外周面２ｂとの間に急峻な谷状の空間がＶ字状となって形成される。この左右二箇所の空間をブリッジパーツ４が補填している。具体的には、ブリッジパーツ４は、ガイドフレーム３がガイドリング２の外周面２ｂから離れていく左右二箇所においてガイドフレーム３とガイドリング２との間の空間に位置する左右一対の補填部４０と、両補填部４０同士を連結する連結部４１とを備えている。
【００４３】
ブリッジパーツ４は一つの部材から構成されており、従って、左右一対の補填部４０とその間の連結部４１は一体的に形成されている。補填部４０は、ガイドリング２とガイドフレーム３との間の空間に対応してその空間に挿入できるように、図１に示すような正面視において、ガイドリング２からガイドフレーム３が離れる離反点Ｐに向けて徐々に細くなっていく先細り形状とされていて、逆に言えば、その離反点Ｐから下側に離れる程に幅広となっている。また、連結部４１は、ガイドリング２の外周面２ｂに沿って弧を描くように延びている。尚、連結部４１におけるガイドリング２の径方向の寸法（厚さ）は、連結部４１におけるガイドリング２の中心線５０の方向の寸法よりも小さいことが好ましく、ブリッジパーツ４を軽量化できる。
【００４４】
ブリッジパーツ４は、ガイドリング２側に位置する上面４２と、反ガイドリング２側に位置する下面と、左右一対の側面４４とを備えている。尚、ガイドリング２の中心に対する内外方向で見れば、ブリッジパーツ４の上面４２は内側に位置する面であるから内面であり、またブリッジパーツ４の下面は外側に位置する面であるから外面である。ブリッジパーツ４の上面４２はガイドリング２の外周面２ｂに当接する。従って、ブリッジパーツ４の上面４２は、ガイドリング２の外周面２ｂに沿った形状であって、ガイドリング２の外周面２ｂの所定角度範囲に当接できるようにその角度範囲に対応した中心角を有する正面視円弧状の凹形状となっている。尚、ブリッジパーツ４の上面４２がガイドリング２の外周面２ｂに当接する角度範囲は１８０度未満であることが好ましい。
【００４５】
また、ブリッジパーツ４の上面４２は、ガイドリング２の径方向に沿って切断した断面視において、ガイドリング２の外周面２ｂとの接触面積を十分に確保できるようにガイドリング２の外周面２ｂに対応した断面形状であることが好ましい。上述したようにガイドリング２の外周面２ｂには周溝２０が形成されている。従って、ブリッジパーツ４の上面４２は、ガイドリング２の径方向に沿って切断した断面視において、ガイドリング２の外周面２ｂの周溝２０に係合する断面形状であることが好ましく、ガイドリング２の中心に向かって凸に湾曲した凸状曲面とされることが好ましい。
【００４６】
ブリッジパーツ４の下面は、上面４２とは上下反対側に位置する面である。ブリッジパーツ４の下面は、ガイドリング２の外周面２ｂに対応して、ブリッジパーツ４の上面４２やガイドリング２と同心円状である円弧状部４３ａと、該円弧状部２３ａの左右両側にそれぞれ形成されて、ガイドフレーム３に近づくにつれて徐々にガイドリング２から離れていくように凹状に湾曲した左右一対の曲面部４３ｂとを備えている。ブリッジパーツ４の下面の曲面部４３ｂは、換言すれば、ブリッジパーツ４の左右方向両端に近づくにつれて徐々にブリッジパーツ４の上面４２から離れていくように湾曲している。
【００４７】
ブリッジパーツ４の側面４４は、ガイドフレーム３の支持脚部３１の内側に当接する。ブリッジパーツ４の側面４４には、ガイドフレーム３が係合可能な係合溝（図示省略）が形成されることが好ましい。係合溝は、断面視において、中空状の金属線材３４の断面形状である円形に対応した円弧状の断面形状である。ブリッジパーツ４は、ガイドフレーム３の支持脚部３１のうち枠部３０と同一平面上に位置する領域である先領域３１ａに当接するが、支持脚部３１の中間領域３１ｂには当接しない。そのため、ブリッジパーツ４は、前後方向（ガイドリング２の中心線５０の方向）の厚さが一定の板状とすることができ、その厚さは、好ましくは、ガイドフレーム３の中空状の金属線材３４の外径と等しい。
【００４８】
ブリッジパーツ４の材質は、比重の小さいものが好ましく、例えば、硬質樹脂や繊維強化樹脂とすることができ、特に、強化繊維にカーボン繊維を使用した繊維強化樹脂とすることが好ましく、射出成形により形成された樹脂成形品であることが好ましい。尚、ガイドフレーム３と同様にチタン合金等の金属製であってもよい。
【００４９】
以上のように構成された釣糸ガイド１は例えば以下のような順で組み立て製造される。上述したが、図８及び図９のようにしてチタン合金等の金属板２１からガイドリング２を製造する。そして、図１０のように、別途製造しておいたブリッジパーツ４をガイドリング２に合体させる。尚、図１０は、図２と同様にガイドリング２及びブリッジパーツ４を後側から見ている。図１０（ａ）は合体前の状態で、図１０（ｂ）は合体後の状態であり、図１０（ｃ）は合体後の状態の要部をガイドリング２のみを部分的に断面で示したものである。ブリッジパーツ４の上面４２をガイドリング２の外周面２ｂの周溝２０に係合させるように当接させて、ブリッジパーツ４とガイドリング２とを接着固定する。
【００５０】
一方、上述したように一本の中空状の金属線材からガイドフレーム３を形成する。そのガイドフレーム３に、ブリッジパーツ４を合体させたガイドリング２を装着する。尚、ブリッジパーツ４とガイドリング２とを別々に独立してガイドフレーム３に装着してもよい。ガイドフレーム３にガイドリング２を装着する際には、図１１（ａ）のように、ガイドフレーム３の後側からガイドリング２を前側に向けて押し込むようにする。
【００５１】
ガイドリング２の前側の鍔部２３の直径Ｇ４はガイドリング２の前端部の外径であり、ガイドリング２の後側の鍔部２２の直径Ｇ３はガイドリング２の後端部の外径である。ガイドリング２の前側の鍔部２３の直径Ｇ４は、後側の鍔部２２の直径Ｇ３よりも小さいが、ガイドフレーム３の枠部３０の内径Ｄよりは大きい。そのため、ガイドリング２をガイドフレーム３に向けて中心線５０の方向に押し付けることで、ガイドフレーム３の枠部３０及び左右の支持脚部３１を左右に押し広げるように弾性変形させて、ガイドリング２をガイドフレーム３の枠部３０に押し込んで、ガイドリング２の周溝２０にガイドフレーム３の枠部３０を係合させる。ガイドフレーム３の枠部３０は下側に開口するＣ字状であって支持脚部３１も左右離間した二本足構成であるため、ガイドフレーム３がガイドリング２の周溝２０に係合する構成であっても、ガイドリング２を押し込むことでガイドフレーム３が左右に開きながら拡径するように弾性変形してガイドリング２を受け入れる。また、ガイドフレーム３を構成する金属線材が断面円形であるので、ガイドリング２をガイドフレーム３の枠部３０にスムーズに押し込むことができる。
【００５２】
そして、ガイドリング２をガイドフレーム３の枠部３０に押し込むと、ガイドフレーム３はそれ自身の弾性復元力によって元の状態に戻るように縮径し、図１１（ｂ）のようにガイドフレーム３の枠部３０がガイドリング２の周溝２０に自動的に係合してガイドリング２を保持する。また、中空状の金属線材であるため、同一径の中実状の金属線材に比して弾性変形しやすく、容易且つスムーズにガイドリング２を挿入できる。尚、ブリッジパーツ４についても同様にガイドフレーム３が左右に開くように弾性変形することで容易に装着できて、ブリッジパーツ４の両側面４４の係合溝にガイドフレーム３の支持脚部３１の先領域３１ａが係入した状態となる。尚、ガイドフレーム３にガイドリング２やブリッジパーツ４を装着するにあたって接着剤を使用してもよい。接着剤は補助的に使用してもよいし、例えば、周溝２０や係合溝を設けずに接着剤のみで接着固定する構成としてもよい。
【００５３】
このようにして製造された釣糸ガイド１は、図３のように釣竿の竿体５の外周面に取り付けられる。具体的には、竿体５の上に釣糸ガイド１の取付部３２を載置し、取付部３２と竿体５とに亘って巻糸６を巻き付けて釣糸ガイド１を竿体５に緊縛する。より詳細には、竿体５から取付部３２の扁平部３２ｃにかけて巻糸６を巻き付けて釣糸ガイド１を竿体５に固定する。更に、接着性のある合成樹脂（接着剤）を巻糸６の巻き付け部分に塗布して固める。尚、本実施形態において、竿体５への取付状態においてガイドリング２は直立姿勢、即ち、ガイドリング２の中心線５０が竿体５の中心線５１と平行になっているが、前側に傾斜した前傾姿勢であってもよい。
【００５４】
本実施形態における釣糸ガイド１は、取付部３２の後部に扁平部３２ｃが形成されているので、取付部３２が押し潰されていない中空状の金属線材のままの形状である場合に比して竿体５への密着性が増し、その扁平部３２ｃにおいて巻糸６をしっかりと巻き付けることができる。従って、竿体５に釣糸ガイド１を強固に取り付けることができる。特に、扁平部３２ｃの下面に凹面部３８が形成されているので、扁平部３２ｃの下面が平坦な場合に比して竿体５により一層沿いやすくなって密着性が一段と増し、更に、取付部３２において左右の金属線材に跨るように凹面部３８が左右方向に連続しているので、金属線材の両端部所定長さ領域が左右に並んだ構成であっても竿体５への良好な密着性が確保される。また、扁平部３２ｃの両側部が後側に向けて斜めに切除されていて後側に向けて幅狭に形成されているので、竿体５により一層強固に取り付けることができると共に巻糸６を綺麗に巻き付けることができて良好な外観体裁が得られる。
【００５５】
そして、このようにして竿体５に取り付けられる釣糸ガイド１にあっては、ガイドフレーム３が金属線材から構成されているので、従来のように金属板を所定形状に打ち抜いて形成した構成に比して容易に軽量化できる。また、従来の金属板を打ち抜いたガイドフレーム３では、エッジの立った断面形状となっているので、ガイドフレーム３に釣糸が接触したときの抵抗が大きく、そのために糸絡みが発生しやすく、また、キャストフィールも良くない。これに対して、本実施形態の釣糸ガイド１のガイドフレーム３は断面円形の金属線材から構成されていてエッジのない円形の断面形状を有しているので、ガイドフレーム３に釣糸が接触したときの釣糸の滑り性が良くスムーズであって、糸絡みが発生しにくく、またキャストフィールも優れている。
【００５６】
更に、ガイドフレーム３の左右一対の支持脚部３１が左右方向の外側に向けて膨らむように湾曲しているので、ガイドフレーム３がエッジのない円形の断面形状であることと相まって、釣糸ガイド１に釣糸が絡みにくい。また、枠部３０の中心角θが両接点５４間の中心角αよりも小さいので、支持脚部３１を枠部３０の周方向の端部からスムーズに膨らんだ形状とすることができ、枠部３０と支持脚部３１との境界部分に径方向内側に括れた括れ部が生じることがなく、枠部３０から支持脚部３１へとスムーズに連続した形状となって、より一層糸絡みが防止される。
【００５７】
また、支持脚部３１の根元領域３１ｃが前後方向に湾曲していてもその根元領域３１ｃにおいて金属線材が押し潰れることなく断面形状を維持しているので、支持脚部３１の根元領域３１ｃにおいてもエッジのない断面形状となって、糸当たりが少なく良好なキャストフィールが得られ、糸絡みがより一層防止される。また、支持脚部３１の根元領域３１ｃにおいて金属線材が押し潰れていないので、押し潰されている形態に比して強度も向上する。
【００５８】
また、ブリッジパーツ４が左右一対の支持脚部３１を連結しているので、ガイドフレーム３が補強されることになり、ガイドフレーム３の強度が向上する。そして、ガイドフレーム３がガイドリング２の外周面２ｂから離れていく左右二箇所の離反点Ｐ近傍において、ガイドフレーム３とガイドリング２の外周面２ｂとの間の空間をブリッジパーツ４が補填しているので、その二箇所の離反点Ｐ近傍において発生しやすい糸絡みをブリッジパーツ４によって防ぐことができる。特に、ブリッジパーツ４の補填部４０の下面に凹状の曲面部４３ｂが形成されているので、該曲面部４３ｂによって糸絡みをより一層抑制することができる。
【００５９】
更に、ガイドリング２の全周のうちガイドフレーム３の枠部３０が周回していない非周回部分がブリッジパーツ４によって保持されるので、ガイドリング２がガイドフレーム３の枠部３０のみならずブリッジパーツ４によっても保持されることになってガイドリング２の保持力が向上する。しかも、ブリッジパーツ４もガイドリング２の周溝２０に係合していて、ブリッジパーツ４の両側面４４にもガイドフレーム３の支持脚部３１が係合しているので、ガイドリング２、ガイドフレーム３及びブリッジパーツ４が強固に一体化されて、釣糸ガイド１の強度がより一層向上する。また、ブリッジパーツ４をガイドリング２の周溝２０に係合させることにより、ブリッジパーツ４の上下寸法を小さくすることができて軽量化できる。また、ブリッジパーツ４が支持脚部３１同士を、前後方向に湾曲していない先領域３１ａの範囲内で連結しているので、ブリッジパーツ４をガイドフレーム３の枠部３０と同一平面上に位置させることができてブリッジパーツ４の前後方向の寸法も抑制できる。このようにブリッジパーツ４を備えることによって釣糸ガイド１の強度アップと糸絡み防止を図りつつも、過度の重量増加を抑制することができる。
【００６０】
尚、釣糸ガイド１は、上述したような竿体５の外周面の所定位置に巻糸６によって巻き付け固定される構成の他、竿体５の外周面に装着される筒状体７を備えたものであってもよい。即ち、竿体５の外周面に接着剤等により固定される、あるいは、遊動自在に外装される筒状体７を備えた構成としてもよい。筒状体７を備える釣糸ガイド１は、筒状体７が竿体５の外周面の所定位置に固定される固定ガイドであってもよいし、竿体５の外周面に対して遊動自在である遊動ガイドであってもよい。このような筒状体７を備えた釣糸ガイド１は例えば振出竿に使用される。
【００６１】
例えば、釣糸ガイド１は、図１２及び図１３のように、竿体５に外装着される筒状体７を備え、ガイドフレーム３は、筒状体７に取り付けるための取付部３２と、該取付部３２から上方に延びる即ち筒状体７から径方向外側に離れるように延びるフレーム本体部とを備える。フレーム本体部は同様に枠部３０と左右一対の支持脚部３１とからなる。取付部３２は左右に分かれた二本足の構成であってそれぞれ金属線材の両端部所定長さ領域から構成され、筒状体７の外周面をそれぞれ左右に分かれて周回して筒状体７の外周面に装着固定されている。尚、筒状体７の外周面に取付部３２が係合する周溝を形成してその周溝に取付部３２が係合してもよい。また、図１２及び図１３では、金属線材の両端部が互いに離間している構成であるが、金属線材の両端部同士が接合されてガイドフレーム３が無端状に形成されていてもよい。このように釣糸ガイド１が筒状体７を備える構成であっても、左右一対の支持脚部３１がそれぞれ左右方向の外側に膨らんだ湾曲形状であると、支持脚部３１が直線状に延びている場合に比して糸絡みを防止することができる。
【００６２】
また、取付部３２が筒状体７の外周面を周回する構成ではなく、二本足の構成としてそれぞれ筒状体７に取り付けられるように構成してもよい。例えば、図１４のように、左右一対の取付部３２が互いに左右に分離独立した状態とされてそれぞれ筒状体７の外周面に取付固定されてもよい。取付部３２の筒状体７への取付構成は任意であって、例えば金属線材の端部所定長さ領域からなる取付部３２を筒状体７の外周面に単に接着固定する構成としてもよいし、図１４のように筒状体７の外周面に固定孔７０を左右一対形成し、その一対の固定孔７０にそれぞれ取付部３２を挿入して固定するようにしてもよい。尚、筒状体７の外周面に突部７１を形成してその突部７１に例えば前側に開口する固定孔７０を前後方向に沿って形成するようにすることが好ましい。
【符号の説明】
【００６３】
１    釣糸ガイド
２    ガイドリング
２ａ  内周面
２ｂ  外周面
３    ガイドフレーム
４    ブリッジパーツ
５    竿体
６    巻糸
７    筒状体
２０    周溝
２１    金属板
２２    前側（竿先側）の鍔部
２３    後側（竿尻側）の鍔部
３０    枠部
３１    支持脚部
３１ａ  先領域
３１ｂ  中間領域
３１ｃ  根元領域
３２    取付部
３２ａ  ストレート部
３２ｂ  テーパ部
３２ｃ  扁平部
３８    凹面部
４０    補填部
４１    連結部
４２    上面
４３ａ  円弧状部（下面）
４３ｂ  曲面部（下面）
４４    側面
５０    ガイドリングの中心線
５１    竿体の中心線
５２    枠部の内周面の仮想円
５３    仮想直線
５４    仮想直線が仮想円と接する接点
７０    固定孔
７１    突部
Ｐ    離反点
θ    枠部の中心角
【図１】
0006527057.tif 000002
【図２】
0006527057.tif 000003
【図３】
0006527057.tif 000004
【図４】
0006527057.tif 000005
【図５】
0006527057.tif 000006
【図６】
0006527057.tif 000007
【図７】
0006527057.tif 000008
【図８】
0006527057.tif 000009
【図９】
0006527057.tif 000010
【図１０】
0006527057.tif 000011
【図１１】
0006527057.tif 000012
【図１２】
0006527057.tif 000013
【図１３】
0006527057.tif 000014
【図１４】
0006527057.tif 000015